(57)【要約】【課題】照明組立体の部品を合致させるコード化システムを提供する。【解決手段】照明組立体は、インジケータで標識された照明モジュールを有する。この照明モジュールインジケータは、照明モジュールの電気容量を表示する。ドライバは、照明モジュールに電力を供給するために提供される。ドライバは、ドライバの電気容量を表示するインジケータで標識される。照明モジュールインジケータ及びドライバインジケータは、ドライバが照明モジュールに電力を供給することができる電気容量を有するかどうか決定するために比較される。ケーブルは、ドライバ及び照明モジュールを電気結合する。ケーブルは、ケーブルの電気容量を表示するインジケータを有する。ケーブルインジケータは、ケーブルがドライバから照明モジュールに電力を搬送することができる電気容量を有するかどうか決定するために、ドライバインジケータ及び照明モジュールインジケータと比較される。【選択図】図１
2012074377.tif 000002
【特許請求の範囲】
【請求項１】
照明モジュール（１０４）の電気容量を表示する照明モジュールインジケータ（１２２）で標識された前記照明モジュールと、
前記照明モジュールに電力を供給するドライバ（１０２）であって、該ドライバは、該ドライバの電気容量を表示するドライバインジケータ（１２０）で標識される前記ドライバと、
前記ドライバ及び前記照明モジュールを電気結合するケーブル（１１０）であって、該ケーブルの電気容量を表示するケーブルインジケータ（１２４）を有する前記ケーブルと
を具備し、
前記照明モジュールインジケータ及び前記ドライバインジケータは、前記ドライバが前記照明モジュールに電力を供給することができる電気容量を有するかどうか決定するために比較され、
前記ケーブルインジケータは、前記ケーブルが前記ドライバから前記照明モジュールに電力を搬送することができる電気容量を有するかどうか決定するために、前記ドライバインジケータ及び前記照明モジュールインジケータと比較されることを特徴とする照明組立体（１００）。
【請求項２】
前記照明モジュールインジケータは、前記照明モジュールの電流容量を表示し、
前記ドライバインジケータは、前記ドライバの電流容量を表示し、
前記照明モジュールインジケータは、前記ドライバが前記照明モジュールに電力を供給することができる電流容量を有するかどうか決定するために前記ドライバインジケータと比較されることを特徴とする請求項１記載の照明組立体。
【請求項３】
前記照明モジュールインジケータは、前記照明モジュールの電圧容量を表示し、
前記ドライバインジケータは、前記ドライバの電圧容量を表示し、
前記照明モジュールインジケータは、前記ドライバが前記照明モジュールに電力を供給することができる電圧容量を有するかどうか決定するために前記ドライバインジケータと比較されることを特徴とする請求項１記載の照明組立体。
【請求項４】
前記照明組立体は、前記ドライバに結合された複数の照明モジュールをさらに具備し、
前記照明モジュールの各々は、該照明モジュールの電圧容量を表示するインジケータを有し、
前記ドライバインジケータは、前記ドライバの電圧容量を表示し、
前記複数の照明モジュールの前記インジケータは、前記ドライバが前記複数の照明モジュールに電力を供給することができる電圧容量を有するかどうか決定するために前記ドライバインジケータと比較されることを特徴とする請求項１記載の照明組立体。
【請求項５】
前記ケーブルインジケータは、前記ケーブルの電流容量を表示することを特徴とする請求項１記載の照明組立体。
【請求項６】
前記照明組立体は、前記ケーブル及び前記照明モジュール間に結合されるコネクタ（１１６）をさらに具備し、
前記コネクタは、該コネクタの電流容量を表示するインジケータ（１２６）を有することを特徴とする請求項１記載の照明組立体。
【請求項７】
前記照明モジュールインジケータは、前記照明モジュールの電流容量を表示する符号を有することを特徴とする請求項１記載の照明組立体。
【請求項８】
前記ドライバインジケータは、前記ドライバの電流容量を表示する符号を有することを特徴とする請求項１記載の照明組立体。
【請求項９】
前記照明モジュールインジケータは、前記照明モジュールの電圧容量を表示する数を有することを特徴とする請求項１記載の照明組立体。
【請求項１０】
前記ドライバインジケータは、前記ドライバの電圧容量を表示する数を有することを特徴とする請求項１記載の照明組立体。
【発明の詳細な説明】
【技術分野】
【０００１】
本発明は、照明システムに関し、特に照明組立体用のコード化システムに関する。
【背景技術】
【０００２】
ＬＥＤ照明組立体は、一般的にＬＥＤを有する少なくとも1個の照明モジュールを具備する。照明モジュールは、ＬＥＤに電力を供給するドライバに接続される。ドライバは、代表的にはドライバから延びるケーブルを有する。照明モジュールは、ドライバから照明モジュールに電力を供給するようケーブルに電気結合される。照明モジュールには、ケーブルに照明モジュールを結合するためにコネクタを有するものがある。コネクタは、照明モジュールのＬＥＤに結合されたコンタクトを有する。コンタクトは、ケーブルからＬＥＤに電気信号を搬送するためにケーブルの電力経路を突き刺す。コネクタはまた、ケーブルの電力経路を切断するスプライス部材を有する。電力経路をスプライスすることにより、ケーブルを複数の照明モジュールに結合できるように、電気信号をＬＥＤに向けたりケーブルに戻したりすることができる。ケーブルの一端は、電力経路から戻り経路に電気信号を向ける終端器に結合される。電気信号は、戻り経路に沿ってドライバに搬送され、照明組立体用の回路を完成させる。
【先行技術文献】
【特許文献】
【０００３】
【特許文献１】特開２００８−３４３８５号公報
【発明の概要】
【発明が解決しようとする課題】
【０００４】
しかし、従来の照明組立体は、不利な点がない訳ではない。照明モジュール及びドライバは、様々な電気容量を有するように製造されるのが一般的である。例えば、照明モジュール及びドライバは、様々な電流容量及び電圧容量のうちの一つで作動するよう製造される。さらに、ケーブル及びコネクタは、様々な電流の一つで作動するよう製造される。照明組立体を適正に作動させるために、照明モジュール、ケーブル及びコネクタの電流容量は、ドライバの電流容量に合致していなければならない。また、照明モジュールは、ドライバの電圧より大きくない電圧で作動するよう製造されなければならない。複数の照明モジュールを有するシステムにおいて、照明モジュールの結合電圧は、ドライバの電圧より大きくてはならない。
【０００５】
一般に、照明組立体の部品は別々に販売される。さらに、照明組立体を取り付ける分野における部品は、様々な電気容量を有する部品の在庫を有する。従って、照明組立体の部品は、照明組立体の適正な作動を確保するために比較されなければならない。特に、ドライバは、対応する照明モジュール、ケーブル及びコネクタと比較されなければならない。従来の照明組立体は、素人が部品を合致させることができる標識又は記名法を有していなかった。従って、照明組立体が不適切に取り付けられ、これにより、組立体が作動しなかったり、組立体や、組立体に電力を供給するよう構成された電気システムに損傷を与えたりするおそれがあった。
【０００６】
発明が解決しようとする課題は、照明組立体の部品を合致させるコード化システムに対するニーズである。
【課題を解決するための手段】
【０００７】
解決手段は照明組立体により提供される。この照明組立体は、インジケータで標識された照明モジュールを有する。この照明モジュールインジケータは、照明モジュールの電気容量を表示する。ドライバは、照明モジュールに電力を供給するために提供される。ドライバは、ドライバの電気容量を表示するインジケータで標識される。照明モジュールインジケータ及びドライバインジケータは、ドライバが照明モジュールに電力を供給することができる電気容量を有するかどうか決定するために比較される。ケーブルは、ドライバ及び照明モジュールを電気結合する。ケーブルは、ケーブルの電気容量を表示するインジケータを有する。ケーブルインジケータは、ケーブルがドライバから照明モジュールに電力を搬送することができる電気容量を有するかどうか決定するために、ドライバインジケータ及び照明モジュールインジケータと比較される。
【図面の簡単な説明】
【０００８】
【図１】本発明の一実施形態に従って形成された照明組立体を示す概略図である。
【図２】本発明の一実施形態に従って形成された照明組立体を組み立てる方法を示すフローチャートである。
【図３】本発明の一実施形態に従って形成された照明組立体を組み立てる別の方法を示すフローチャートである。
【図４】本発明の一実施形態に従って形成された照明組立体を上から見た斜視図である。
【発明を実施するための形態】
【０００９】
以下、添付図面を参照して本発明を例示により説明する。
【００１０】
一実施形態において、照明組立体が提供される。この照明組立体は、インジケータで標識された照明モジュールを有する。照明モジュールインジケータは、照明モジュールの電気容量を表示する。ドライバは、照明モジュールに電力を供給するために設けられる。ドライバは、ドライバの電気容量を表示するインジケータで標識される。照明モジュールインジケータ及びドライバインジケータは、ドライバが照明モジュールに電力を供給することができる電気容量を有するかどうか決定するために比較される。ケーブルは、ドライバ及び照明モジュールを電気結合する。ケーブルは、ケーブルの電気容量を表示するインジケータを有する。ケーブルインジケータは、ケーブルがドライバから照明モジュールに電力を搬送することができる電気容量を有するかどうか決定するために、ドライバインジケータ及び照明モジュールインジケータと比較される。
【００１１】
別の実施形態において、照明組立体が提供される。照明組立体は、照明モジュールの電圧容量及び電流容量を表示するインジケータで標識された照明モジュールを具備する。ドライバは、照明モジュールに電力を供給するために設けられる。ドライバは、ドライバの電圧容量及び電流容量を表示するインジケータで標識される。照明モジュールインジケータ及びドライバインジケータは、ドライバが照明モジュールに電力を供給することができる電圧容量及び電流容量を有するかどうか決定するために比較される。ケーブルは、ドライバ及び照明モジュールを電気結合する。ケーブルは、ケーブルの電流容量を表示するインジケータを有する。ケーブルインジケータは、ケーブルがドライバから照明モジュールに電力を搬送することができる電流容量を有するかどうか決定するために、ドライバインジケータ及び照明モジュールインジケータと比較される。
【００１２】
別の実施形態において、照明組立体が提供される。この照明組立体は、インジケータで標識された照明モジュールを具備する。インジケータは、数及び符号からなる。照明モジュールインジケータの数及び符号は、照明モジュールの電気容量を表示する。ドライバは、照明モジュールに電力を供給するために提供される。ドライバは、数及び符号を有するインジケータで標識される。ドライバインジケータの数及び符号は、ドライバの電気容量を表示する。照明モジュールインジケータ及びドライバインジケータは、ドライバが照明モジュールに電力を供給することができる電気容量を有するかどうか決定するために比較される。ケーブルは、ドライバ及び照明モジュールを電気結合する。ケーブルは、ケーブルの電気容量を表示するインジケータを有する。ケーブルインジケータは、ケーブルがドライバから照明モジュールに電力を搬送することができる電気容量を有するかどうか決定するために、ドライバインジケータ及び照明モジュールインジケータと比較される。
【００１３】
上述の要約は、本発明の実施形態の以下の詳細な説明と共に、添付図面と併せて読む際によりよく理解されるであろう。本明細書で使用されているように、単数形で謳われている要素又は工程は、明記されない限り、複数の要素又は工程を排除しないものとして理解すべきである。また、「一実施形態」という言及は、謳われた特徴を組み込む追加の実施形態の存在を排除するものとして解釈することを意図したものではない。さらに、逆であることを明記しない限り、特定の特性を有する要素を「具備する」又は「有する」実施形態は、その特性を有さない追加の要素を有してもよい。
【００１４】
図１は、本発明の一実施形態に従って形成された照明組立体１００を示す。照明組立体１００はドライバ１０２を具備し、ドライバ１０２は、ドライバ１０２に結合された照明モジュール１０４を有する。図示の実施形態は、２個の照明モジュール１０４を具備する。或いは、照明組立体１００は、任意の数の照明モジュール１０４を具備してもよい。各照明モジュール１０４は基板１０６を具備し、基板１０６は、基板１０６に結合されたＬＥＤ１０８を有する。基板１０６は、例えば印刷回路基板又はフレキシブル回路等の回路基板であってもよい。図示の実施形態は、各基板１０６に結合された２個のＬＥＤ１０８を有する。或いは、基板１０６は、任意の数のＬＥＤ１０８を有してもよい。ドライバ１０２は、ＬＥＤ１０８に電力を供給するよう構成される。
【００１５】
ケーブル１１０は、ＬＥＤ１０８に電力を供給するためにドライバ１０２に結合されている。図示の実施形態に示されるように、ケーブル１１０は４ピンのリボンケーブルである。ケーブル１１０は、電力経路１１２及び戻り経路１１４を有する。電力経路１１２は、ＬＥＤ１０８に電力を供給するためにドライバ１０２から照明モジュール１０４に電流を向ける。電力経路１１２は、各照明モジュール１０４上のＬＥＤ１０８に電力を供給する。ケーブル１１０はまた、ドライバ１０２に向けるよう構成された熱電対帰還ワイヤ１１５を有する。ここで、信号は、組立体１００の温度を表示する。
【００１６】
コネクタ１１６は各照明モジュール１０４に結合される。コネクタ１１６は、基板１０６上のトレース１１９に結合するトレース１１７を有する。これらのトレース１１７，１１９は、電力経路１２１及び戻り経路１２３を形成する。基板１０６上のトレース１１９はＬＥＤ１０８に結合される。コネクタ１１６は、電力経路１２１を介してドライバ１０２からＬＥＤ１０８に電気信号を向けるために電力経路１１２を突き刺す。次に、電気信号は、戻り経路１２３を介してＬＥＤ１０８から電力経路１１２に戻るよう向けられる。コネクタ１１６は、電気信号がＬＥＤ１０８に向けられて電力経路１１２に戻るように、電力経路１１２をスプライス接続するスプライス機構を有する。次に、電気信号を隣の照明モジュール１０４に向けることができる。
【００１７】
ケーブル１１０は終端器１１８で終端される。終端器１１８は、ケーブル１１０の電力経路１１２及び戻り経路１１４に係合するコンタクト（図示せず）を有する。コンタクトは、電力経路１１２を戻り経路１１４に結合する。電気信号は、コンタクトによって電力経路１１２から戻り経路１１４に向けられる。戻り経路１１４は、電気信号をドライバ１０２に戻り、照明組立体１１０を通る回路を完成させる。
【００１８】
ドライバ１０２はインジケータ１２０を具備する。インジケータ１２０は、ドライバ１０２の電気容量を代表する。一例の実施形態において、インジケータ１２０は、数、並びに、色、文字や他の適当な符号等の符号を有する。一実施形態において、数及び符号は別々のインジケータである。図示の実施形態において、数及び符号は結合されている。図示の実施形態において、数は色付けされている。一実施形態において、インジケータ１２０の数は、ドライバ１０２の電圧容量を表示する。図示の実施形態において、インジケータ１２０の数は４２であり、これにより、ドライバ１０２が４２ボルトの電圧容量を有することを表示する。典型的な一実施形態において、簡単のために、インジケータ１２０の数は単位を含んでいない。一実施形態において、インジケータ１２０の符号は、ドライバ１０２の電流容量を表示する。例えば、インジケータ１２０はオレンジ色である。ここで、オレンジ色は、ドライバ１０２が350ｍＡの電流容量を有することを表示する。別の実施形態において、インジケータ１２０は、ドライバ１０２の異なる電流容量を表示するために、異なる色であってもよい。例えば、赤色は700ｍＡの電流容量を表示し、緑色は1000ｍＡの電流容量を表示し、紫色は2100ｍＡの電流容量を表示してもよい。
【００１９】
各照明モジュール１０４はインジケータ１２２を具備する。インジケータ１２２は、照明モジュール１０４の電気容量を代表する。例示の実施形態において、インジケータ１２２は、数、並びに、色、文字や他の適当な符号等の符号を有する。一実施形態において、数及び符号は別々のインジケータである。図示の実施形態において、数及び符号は結合されている。図示の実施形態において、数は色付けされている。一実施形態において、インジケータ１２２の数は、照明モジュール１０４の電圧容量を表示する。図示の実施形態において、インジケータ１２２の数は２０であり、これにより、照明モジュール１０４が２０ボルトの電圧容量を有することを表示する。典型的な一実施形態において、簡単のために、インジケータ１２２の数は単位を含んでいない。一実施形態において、インジケータ１２２の符号は、照明モジュール１０４の電流容量を表示する。例えば、インジケータ１２２はオレンジ色である。ここで、オレンジ色は、照明モジュール１０４が350ｍＡの電流容量を有することを表示する。別の実施形態において、インジケータ１２２は、照明モジュール１０４の異なる電流容量を表示するために、異なる色であってもよい。
【００２０】
照明モジュール１０４のインジケータ１２２は、照明モジュール１０４及びドライバ１０２間の互換性を決定するようドライバ１０２のインジケータ１２０と比較される。照明モジュール１０４のインジケータ１２２は、ドライバ１０２が照明モジュール１０４に電力を供給することができる電気容量を有するかどうか決定するために、ドライバ１０２のインジケータ１２０と比較される。一実施形態において、照明モジュール１０４のインジケータ１２２は、ドライバ１０２が照明モジュール１０４に電力を供給することができる電流容量及び電圧容量を有するかどうか決定するために、ドライバ１０２のインジケータ１２０と比較される。照明モジュール１０４のインジケータ１２２の符号は、照明モジュール１０４の電流容量がドライバ１０２の電流容量と互換できるかどうか決定するために、ドライバ１０２のインジケータ１０２の符号と比較される。照明組立体１００の適切な作動を確保するために、ドライバ１０２及び照明モジュール１０４は、同等の電流容量を有さなければならない。例えば、ドライバ１０２のインジケータ１２０及び照明モジュール１０４のインジケータ１２２は共にオレンジ色であり、これにより、ドライバ１０２及び照明モジュール１０４は共に350ｍＡの電流容量を有することを表示する。照明モジュール１０４のインジケータ１２２の符号がドライバ１０２のインジケータ１２０の符号と合致すると、ドライバ１０２及び照明モジュール１０４は互換できる電流容量を有する。照明モジュール１０４のインジケータ１２２の符号がドライバ１０２のインジケータ１２０の符号と合致すると、ドライバ１０２は、照明モジュール１０４に電力を供給できる電流容量を有する。
【００２１】
照明モジュール１０４のインジケータ１２２の数は、照明モジュール１０４及びドライバ１０２が互換性のある電圧容量を有するかどうか決定するために、ドライバ１０２のインジケータ１２０の数と比較される。照明モジュール１０４のインジケータ１２２の数は、ドライバ１０２が照明モジュール１０４に電力を供給できる電圧容量を有するかどうか決定するために、ドライバ１０２のインジケータ１２０の数と比較される。一例の実施形態において、照明モジュール１０４の電圧容量は、ドライバ１０２の電圧容量より大きくなってはならない。照明モジュール１０４のインジケータ１２２の数は、ドライバ１０２のインジケータ１２０の数より多くなってはならない。図示の実施形態において、各照明モジュール１０４は数２０を有するインジケータ１２２を有し、ドライバ１０２は数４２を有するインジケータ１２０を有する。照明モジュール１０４のインジケータ１２２の数２０は、ドライバ１０２のインジケータ１２０の数４２より大きくない。従って、20ボルトの電圧容量を有する各照明モジュール１０４は、42ボルトの電圧容量を有するドライバ１０２と互換性を有する。
【００２２】
図示の実施形態は、２個の照明モジュール１０４に結合されたドライバ１０２を有する。照明組立体１００の適正な機能を確保するために、照明モジュール１０４の結合電圧容量は、ドライバ１０２の電圧容量より大きくなってはならない。図示の実施形態において、インジケータ１２０は、ドライバ１０２の電圧容量が42ボルトであることを表示する。各照明モジュール１０４のインジケータ１２２は、各照明モジュール１０４が20ボルトの電圧容量を有することを表示する。各照明モジュール１０４のインジケータ１２２の数は、結合された照明モジュール１０４がドライバ１０２と互換性を有するかどうか決定するために合計される。一実施形態において、各照明モジュール１０４のインジケータ１２２の数は、ドライバ１０２が各照明モジュール１０４に電力を供給することができる電気容量を有するかどうか決定するために合計される。一実施形態において、各照明モジュール１０４のインジケータ１２２の数は、ドライバ１０２が各照明モジュール１０４に電力を供給することができる電圧容量を有するかどうか決定するために合計される。照明モジュール１０４のインジケータ１２２の数の合計は40に等しい。照明モジュール１０４のインジケータ１２２の数の合計は、ドライバ１０２のインジケータ１２０の数より大きくない。従って、２個の照明モジュール１０４の結合電圧容量は、ドライバ１０２の電圧容量と互換性がある。このように、ドライバ１０２は、各照明モジュール１０４に電力を供給することができる電圧容量を有する。
【００２３】
一実施形態において、複数の照明モジュール１０４のインジケータ１２２の数の合計は、ドライバ１０２のインジケータ１２０の数より大きくてもよい。このような実施形態において、照明モジュール１０４の結合電圧容量は、ドライバ１０２用には大き過ぎる。このように、ドライバ１０２は、全ての照明モジュール１０４に電力を供給する能力はないであろう。
【００２４】
或いは、数１０のインジケータを有する３個の照明モジュール１０４は、30ボルトの結合電圧容量を有するよう結合されてもよい。このような実施形態において、３個の照明モジュール１０４の結合電圧容量は、数４２の電圧容量を有するドライバ１０２と互換性があるであろう。別の実施形態において、任意の数の照明モジュール１０４がドライバ１０２に結合されてもよい。全ての照明モジュール１０４の結合電圧容量は、ドライバ１０２の電圧容量より大きくなってはならない。
【００２５】
ケーブル１１０はインジケータ１２４を具備する。一実施形態において、インジケータ１２４は色を有する。或いは、インジケータ１２４は、文字や他の任意の適当な符号であってもよい。図示の実施形態において、ケーブル１１０の電力経路は色付けされている。或いは、戻り経路１１４が色付けされてもよい。任意であるが、ケーブル１１０全体が色付けされてもよい。一実施形態において、ケーブル１１０は色付けされた縞を有してもよい。インジケータ１２４は、ケーブル１１０の電流容量を表示する。例えば、ケーブル１１０は、ケーブル１１０が350ｍＡの電流容量を有することを表示するオレンジ色のインジケータ１２４を有してもよい。
【００２６】
ケーブル１１０のインジケータ１２４は、ケーブル１１０及びドライバ１０２や照明モジュール１０４間の互換性を決定するために、ドライバ１０２のインジケータ１２０及び照明モジュール１０４のインジケータ１２２と比較される。ケーブル１１０のインジケータ１２４は、ケーブル１１０がドライバ１０２及び照明モジュール１０４間で電力を搬送することができる電気容量を有するかどうか決定するために、ドライバ１０２のインジケータ１２０及び照明モジュール１０４のインジケータ１２２と比較される。一実施形態において、ケーブル１１０のインジケータ１２４は、ケーブル１１０がドライバ１０２及び照明モジュール１０４間で電力を搬送することができる電流容量を有するかどうか決定するために、ドライバ１０２のインジケータ１２０及び照明モジュール１０４のインジケータ１２２と比較される。例えば、ドライバ１０２及び照明モジュール１０４がオレンジ色のインジケータ１２０，１２２を有する場合、ケーブル１１０は、ドライバ１０２及び照明モジュール１０４の電流容量と同等である電流容量を有する。
【００２７】
コネクタ１１６はインジケータ１２６を具備する。図示の実施形態において、インジケータ１２６は色を有する。或いは、インジケータ１２６は、文字や他の任意の適当な符号を有してもよい。インジケータ１２６は、コネクタ１１６の電流容量を表示する。例えば、コネクタ１１６は、350ｍＡの電流容量を有することを表示するオレンジ色のインジケータ１２６を有してもよい。コネクタ１１６のインジケータ１２６は、コネクタ１１６及びドライバ１０２や照明モジュール１０４間の互換性を決定するために、ドライバ１０２のインジケータ１２０及び照明モジュール１０４のインジケータ１２２と比較される。コネクタ１１６のインジケータ１２６は、コネクタ１１６がドライバ１０２及び照明モジュール１０４間で電力を搬送することができる電気容量を有するかどうか決定するために、ドライバ１０２のインジケータ１２０及び照明モジュール１０４のインジケータ１２２と比較される。一実施形態において、コネクタ１１６のインジケータ１２６は、コネクタ１１６がドライバ１０２及び照明モジュール１０４間で電力を搬送することができる電流容量を有するかどうか決定するために、ドライバ１０２のインジケータ１２０及び照明モジュール１０４のインジケータ１２２と比較される。例えば、ドライバ１０２及び照明モジュール１０４がオレンジ色のインジケータ１２０，１２２をそれぞれ有する場合、コネクタ１１６は、ドライバ１０２及び照明モジュール１０４の電流容量と同等の電流容量を有する。
【００２８】
コネクタ１１６のインジケータ１２６はまた、ケーブル１１０との互換性を表示してもよい。一実施形態において、コネクタ１１６のインジケータ１２６は、コネクタ１１６がケーブル１１０及び照明モジュール１０４間で電力を搬送することができる電気容量を有するかどうか決定するために、ケーブル１１０のインジケータ１２４及び照明モジュール１０４のインジケータ１２２と比較される。一実施形態において、コネクタ１１６のインジケータ１２６は、コネクタ１１６がケーブル１１０及び照明モジュール１０４間で電力を搬送することができる電流容量を有するかどうか決定するために、ケーブル１１０のインジケータ１２４及び照明モジュール１０４のインジケータ１２２と比較される。例えば、ケーブル１１０がオレンジ色のインジケータ１２４を有する場合、コネクタ１１６は、ケーブル１１０の電流容量と同等の電流容量を有する。
【００２９】
図２は、照明組立体１００の組立方法２００のフローチャートを示す。段階２０２において、照明モジュール１０４が選択される。照明モジュール１０４は、照明組立体１００の所定の要求事項に基づいて選択される。照明モジュール１０４は、照明組立体１００の所定の機能及び使用に基づいて選択される。例えば、照明モジュール１０４は、照明モジュール１０４の要求されたすなわち所望の強度に基づいて選択されてもよい。照明モジュール１０４はインジケータ１２２を有する。インジケータ１２２の数は、照明モジュール１０４の電圧容量を特定する。インジケータ１２２の符号は、照明モジュール１０４の電流容量を特定する。
【００３０】
段階２０４において、ドライバ１０２は、照明モジュール１０４に電力を供給ために選択される。ドライバ１０２はインジケータ１２０を有する。インジケータ１２０の数はドライバ１０２の電圧容量を特定する。インジケータ１２０の符号はドライバ１０２の電流容量を特定する。ドライバ１０２は照明モジュール１０４のインジケータ１２２に基づいて選択される。ドライバ１０２は、照明モジュール１０４のインジケータ１２２の符号に合致する符号のインジケータ１２０を有するように選択される。インジケータ１２０の符号をインジケータ１２２の符号に合致させることにより、ドライバ１０２の電流容量が照明モジュール１０４の電流容量に合致する。ドライバ１０２及び照明モジュール１０４の電流容量は、ドライバ１０２及び照明モジュール１０４間の互換性を確保するために比較される。
【００３１】
ドライバ１０２は、照明モジュール１０４のインジケータ１２２の数以上の数を有するインジケータ１２０を有するように選択される。インジケータ１２０の数をインジケータ１２２の数に合致させることは、照明モジュール１０４に電力を供給できるドライバ１０２の電圧容量を提供する。照明モジュール１０４に電力を供給するために、ドライバ１０２の電圧容量は、照明モジュール１０４の電圧容量以上でなければならない。
【００３２】
段階２０６において、照明組立体１００用にコネクタ１１６が選択される。コネクタ１１６はインジケータ１２６を有する。コネクタ１１６はインジケータ１２６に基づいて選択される。コネクタ１１６は、ドライバ１０２及び照明モジュール１０４のインジケータ１２０，１２２にそれぞれ合致するインジケータ１２６を有するように選択される。インジケータ１２６は、コネクタ１１６の電流容量を特定する。コネクタ１１６は、ドライバ１０２及び照明モジュール１０４の電流容量に合致する電流容量を有するように選択される。
【００３３】
段階２０８において、ケーブル１１０は照明組立体１００用に選択される。ケーブル１１０はインジケータ１２４を有する。ケーブル１１０はインジケータ１２４に基づいて選択される。ケーブル１１０は、ドライバ１０２、照明モジュール１０４及びコネクタ１１６のインジケータ１２０，１２２，１２６にそれぞれ合致するインジケータ１２４を有するように選択される。インジケータ１２４は、ケーブル１１０の電流容量を特定する。ケーブル１１０は、ドライバ１０２、照明モジュール１０４及びコネクタ１１６の電流容量に合致する電流容量を有するように選択される。
【００３４】
段階２０２〜２０８は任意の順序であってもよいことに留意されたい。例えば、ドライバ１０２は、照明モジュール１０４又はケーブル１１０が他の部品の前に選択される前に選択されてもよい。選択の順序とは無関係に、インジケータ１２０，１２２，１２４，１２６は、部品の互換性を確保するために比較される。
【００３５】
部品の選択後、ケーブル１１０はドライバ１０２に電気結合される。コネクタ１１６は、トレース１１７，１１９が電気結合されるように、照明モジュール１０４に電気結合される。コネクタ１１６は、コネクタがケーブルの電力経路１１２を突き刺して照明モジュール１０４に電力を供給するように、ケーブル１１０に結合される。終端器１１８はケーブル１１０の一端に結合されるので、電力経路１１２は戻り経路１１４に結合される。
【００３６】
図３は、照明組立体１００の別の組立方法２５０を示すフローチャートである。段階２５２において、複数の照明モジュール１０４が選択される。照明モジュール１０４は、照明組立体１００の所定の要求事項及び照明組立体１００の所定の機能及び使用に基づいて選択される。例えば、照明モジュール１０４は、照明モジュール１０４の要求されたすなわち所望の強度に基づいて選択されてもよい。照明モジュール１０４はインジケータ１２２を有する。インジケータ１２２の数は、各照明モジュール１０４の電圧容量を特定する。インジケータ１２２の符号は、各照明モジュール１０４の電流容量を特定する。選択された各照明モジュール１０４は、照明モジュール１０４の電流容量に合致するために同一の符号を有するインジケータ１２２を有する。段階２５４において、各照明モジュール１０４のインジケータ１２２の数は、複数の照明モジュール１０４の全電圧容量を決定するために合計される。
【００３７】
段階２５６において、ドライバ１０２は、照明モジュール１０４に電力を供給するために選択される。ドライバ１０２はインジケータ１２０を有する。インジケータ１２０の数は、ドライバ１０２の電圧容量を特定する。インジケータ１２０の符号は、ドライバ１０２の電流容量を特定する。ドライバ１０２は、照明モジュール１０４のインジケータ１２２に基づいて選択される。ドライバ１０２は、照明モジュール１０４のインジケータ１２２の符号に合致する符号を有するインジケータ１２０を有するように選択される。インジケータ１２０の符号をインジケータ１２２に合致させることにより、ドライバ１０２の電流容量が各照明モジュール１０４の電流容量に合致する。ドライバ１０２及び照明モジュール１０４の電流容量は、ドライバ１０２及び照明モジュール１０４間の互換性を確保するために比較される。
【００３８】
ドライバ１０２は、照明モジュール１０４のインジケータ１２２の数の合計以上の数を有するインジケータ１２０を有するように選択される。インジケータ１２０の数をインジケータ１２２の数に合致させることは、全照明モジュール１０４に電力を供給できるドライバ１０２の電圧容量を提供する。照明モジュール１０４に電力を供給するために、ドライバ１０２の電圧容量は、照明モジュール１０４の全電圧容量以上でなければならない。
【００３９】
段階２５８において、各照明モジュール用のコネクタ１１６は、照明組立体１００用に選択される。コネクタ１１６はインジケータ１２６を有する。コネクタ１１６はインジケータ１２６に基づいて選択される。コネクタ１１６は、ドライバ１０２及び照明モジュール１０４のインジケータ１２０，１２２にそれぞれ合致するインジケータ１２６を有するように選択される。インジケータ１２６は、コネクタ１１６の電流容量を特定する。コネクタ１１６は、ドライバ１０２及び照明モジュール１０４の電流容量に合致する電流容量を有するように選択される。
【００４０】
段階２６０において、ケーブル１１０は照明組立体１００用に選択される。ケーブル１１０はインジケータ１２４を有する。ケーブル１１０はインジケータ１２４に基づいて選択される。ケーブル１１０は、ドライバ１０２、照明モジュール１０４及びコネクタ１１６のインジケータ１２０，１２２，１２６にそれぞれ合致するインジケータ１２４を有するように選択される。インジケータ１２４は、ケーブル１１０の電流容量を特定する。ケーブル１１０は、ドライバ１０２、照明モジュール１０４及びコネクタ１１６の電流容量に合致する電流容量を有するように選択される。
【００４１】
段階２５２〜２６０は任意の順序であってもよいことに留意されたい。例えば、ドライバ１０２は、照明モジュール１０４又はケーブル１１０が他の部品の前に選択される前に選択されてもよい。選択の順序とは無関係に、インジケータ１２０，１２２，１２４，１２６は、部品の互換性を確保するために比較される。
【００４２】
部品の選択後、ケーブル１１０はドライバ１０２に電気結合される。コネクタ１１６は、トレース１１７，１１９が電気結合されるように、各照明モジュール１０４に電気結合される。コネクタ１１６は、コネクタがケーブルの電力経路１１２を突き刺して照明モジュール１０４に電力を供給するように、ケーブル１１０に結合される。終端器１１８はケーブル１１０の一端に結合されるので、電力経路１１２は戻り経路１１４に結合される。
【００４３】
図４は、別の実施形態に従って形成された照明組立体４００を示す。照明組立体４００は、ドライバ４０２に結合された照明モジュール４０４を有するドライバ４０２を具備する。各市も４０４は、基板４０６に結合されたＬＥＤ４０８を有する基板４０６を具備する。ドライバ４０２は、ＬＥＤ４０８に電力を供給するよう構成される。
【００４４】
ケーブル４１０は、ＬＥＤ４０８に電力を供給するようドライバ４０２に結合される。ケーブル４１０は、ドライバ４０２のジャック４１１に挿入されるプラグ４０９を有する。或いは、ドライバ４０２は、ケーブル４１０上に形成されたジャックに挿入されるプラグを有してもよい。別の実施形態において、ケーブル４１０は、ジャック４１１又はプラグ４０９を伴わないでドライバ４０２に直接配線される。ケーブル４１０は、電力経路４１２及び戻り経路４１４を有する。電力経路４１２は、ドライバ４０２から照明モジュール４０４に電流を向け、ＬＥＤ４０８に電力を供給する。ケーブル４１０はまた、ドライバ４０２に向けるよう構成された熱電対帰還ワイヤ４１５を有する。ここで、信号は、組立体４００の温度を表示する。
【００４５】
コネクタ４１６は各照明モジュール４０４に結合される。コネクタ４１６は、照明モジュール４０４の基板４０６上の嵌合クリップ４１９に結合する嵌合プラグ４１７を有する。任意であるが、コネクタ４１６はクリップを有してもよく、基板４０６はプラグを有してもよい。別の実施形態において、コネクタ４１６は、照明モジュール４０４と一体に形成されてもよい。コネクタ４１６は、ドライバ４０２からＬＥＤ４０８に電気信号を向けるためにケーブル４１０の電力経路４１２を突き刺す。次に、電気信号は、ＬＥＤ４０８からケーブル４１０に戻るよう向けられる。
【００４６】
第１コネクタ４２１は、電気信号をＬＥＤ４０８から電力経路４１２に戻るよう向ける。次に、電気信号は、第２コネクタ４２３及び第３コネクタ４２５に搬送される。第３コネクタ４２５は終端器として作動する。第３コネクタ４２５は、ケーブル４１０の電力経路４１２をケーブル４１０の戻り経路４１４に結合し、電気信号をドライバ４０２に戻す。
【００４７】
ドライバ４０２は、ドライバ４０２の電気容量を代表するインジケータ４２０を具備する。インジケータ４２０の符号はドライバ４０２の電流容量を代表し、インジケータ４２０の数はドライバ４０２の電圧容量を代表する。各照明モジュール４０４は、照明モジュール４０４の電気容量を代表するインジケータ４２２を具備する。インジケータ４２２の符号は各照明モジュール４０４の電流容量を代表し、インジケータ４２２の数は各照明モジュール４０４の電圧容量を代表する。
【００４８】
各照明モジュール４０４のインジケータ４２２は、照明モジュール４０４及びドライバ４０２間の互換性を決定するために、ドライバ４０２のインジケータ４２０と比較される。例えば、ドライバ４０２のインジケータ４２０は、ドライバ４０２が1000ｍＡの電流容量を有することを表示するために、緑色にされてもよい。従って、照明モジュール４０４は、1000ｍＡの電流容量を表示するために緑色にされたインジケータ４２２を有するよう選択される。インジケータ４２０，４２２の数はまた、ドライバ４０２及び照明モジュール４０４の電圧容量に合致するよう比較される。図示の実施形態において、各照明モジュール４０４は数１４を有し、ドライバ４０２は数４８を有する。照明モジュール４０４のインジケータ４２２の合計は、インジケータ４２０の数より大きくなってはならない。図示の実施形態において、インジケータ４２２の合計は、ドライバ４０２のインジケータ４２０の数４８より小さい４２である。従って、照明モジュール４０４はドライバ４０２と互換性がある。
【００４９】
ケーブル４１０はインジケータ４２４を具備する。一実施形態において、インジケータ４２４は、1000ｍＡのケーブル４１０の電流容量を代表するよう緑色を有する。ケーブル４１０のインジケータ４２４は、ケーブル４１０及びドライバ４０２や照明モジュール４０４間の互換性を決定するために、ドライバ４０２のインジケータ４２０及び照明モジュール４０４のインジケータ４２２と比較される。
【００５０】
コネクタ４１６はインジケータ４２６を具備する。一実施形態において、インジケータ４２６は、1000ｍＡのコネクタ４１６の電流容量を代表するよう緑色を有する。コネクタ４１６のインジケータ４２６は、コネクタ４１６及びドライバ４０２や照明モジュール４０４間の互換性を決定するために、ドライバ４０２のインジケータ４２０及び照明モジュール４０４のインジケータ４２２と比較される。コネクタ４１６のインジケータ４２６はまた、ケーブル４１０との互換性を表示してもよい。
【符号の説明】
【００５１】
１００  照明組立体
１０２  ドライバ
１０４  照明モジュール
１１０  ケーブル
１１６  コネクタ
１２０  インジケータ
１２２  インジケータ
１２４  インジケータ
１２６  インジケータ
【図１】
2012074377.tif 000003
【図２】
2012074377.tif 000004
【図３】
2012074377.tif 000005
【図４】
2012074377.tif 000006